(57)【特許請求の範囲】
【請求項１】
収納棚の複数の各ラックに番組カテゴリ名を割り当てて配置すると共に該番組カテゴリに属する各番組に対応するサムネイル画像を前記各ラックの平板状の外側面に貼り付け、表示画面上に３次元的に表示して上下方向へアニメーション移動するラック型番組表示手段を有し、
装置本体又はリモートコントロール装置の操作ボタンの操作に応じ、前記ラック型番組表示手段の所望の番組カテゴリが選択されることで当該番組カテゴリのラックが前方に引き出された後回転して外側面が正面を向き、サムネイル画像が左右方向に移動するアニメーションにより表示され、表示された所望のサムネイル画像を選択することで該サムネイル画像に対応する番組が選択されて表示されることを特徴とする番組表示装置。
【請求項２】
番組カテゴリが選択され前記アニメーションにより表示されて左右方向に連続移動するサムネイル画像は、正面を向き左右横一列に表示され、カーソルで囲まれた中央のサムネイル画像が拡大表示されることを特徴とする請求項１に記載の番組表示装置。
【請求項３】
番組カテゴリが選択され前記アニメーションにより表示されて左右方向に連続移動するサムネイル画像は、移動する速度に応じてその表示画像が縮小されて表示されることを特徴とする請求項１に記載の番組表示装置。
【請求項４】
収納棚の複数の各ラックに番組カテゴリ名を割り当てて配置すると共に該番組カテゴリに属する各番組に対応するサムネイル画像を円形又は多角形の回転筒状のドラム外側面に貼り付け表示画面上に３次元的に表示して上下方向へアニメーション移動するラック型番組表示手段を有し、
装置本体又はリモートコントロール装置の操作ボタンの操作に応じ、前記ラック型番組表示手段の所望の番組カテゴリが選択されることで当該番組カテゴリのラックが引き出され当該ドラム面上のサムネイル画像が左右方向に回転するアニメーションにより表示され、表示された所望のサムネイル画像を選択することで対応する番組が選択されて表示されることを特徴とする番組表示装置。
【請求項５】
前記ラック型番組表示手段の所望の番組カテゴリが選択されることで当該番組カテゴリのラックがハイライト表示され、
前記ラック型番組表示手段のサムネイル画像は、左右横一列に配置されてドラム外側面に貼り付けられることを特徴とする請求項４に記載の番組表示装置。
【請求項６】
番組カテゴリが選択され前記アニメーションにより表示されて左右方向に連続移動するサムネイル画像は、カーソルで囲まれ中央に位置するドラム面上のサムネイル画像が最も手前になり最大表示となるように３次元的に表示されることを特徴とする請求項４に記載の番組表示装置。
【請求項７】
前記アニメーションにより表示され左右方向に移動するサムネイル画像の下段には、選択されたサムネイル画像に対応する番組に関する文字情報が表示されることを特徴とする請求項１又は４に記載の番組表示装置。
【請求項８】
テレビ放送を受信する放送受信部と通信ネットワークを介してコンテンツを取得する通信コンテンツ取得部とを有することを特徴とする請求項１又は４に記載の番組表示装置。
【発明の詳細な説明】
【技術分野】
【０００１】
本発明は、番組表示装置に関し、特に、アナログ及びデジタル方式の地上波テレビ放送受信機、ＢＳ、ＣＳ等の衛星テレビ放送受信機、インターネットを介してコンテンツを取得する情報端末、ワンセグ方式等の携帯電話機内蔵テレビ受信機、カーナビゲーション等に組み込まれたモバイルテレビ、ＳＴＢ（セットトップボックス）、ビデオレコーダ、デジタルカメラ等の各種機器における映像や情報の選択操作を行う番組表示装置に関するものである。
【背景技術】
【０００２】
最近では、ＢＳやＣＳによる衛星放送に続いて、地上波によるデジタルテレビ放送が行われており、動画映像と音声による放送に加え、ＢＭＬ（Ｂｒｏａｄｃａｓｔ  Ｍａｒｋｕｐ  Ｌａｎｇｕａｇｅ：ＡＲＩＢ（社団法人電波産業会）によって策定されたＸＭＬベースのデータ放送向けのページ記述言語）を用いて、ニュースや天気予報、番組情報といったデータ放送も合わせて受信することが可能となり、同一画面上にリンク先のＵＲＬ情報が埋め込まれたハイパーテキストを表示することや、これらを用いてインターネットを介した双方向のＩＴ通信も合わせて可能となり、各種の新しいリンクサービスが展開されつつある。また、携帯電話機等のモバイル機器による受信形態でもワンセグ（１セグメント）方式によりデジタルテレビの受信が可能となり、ＱＶＧＡ（３２０×２４０ピクセル）サイズの低解像度の映像しか伝送できないが、クリアな画像が受信できるようになっている。
こうした新サービスの展開によって、一方ではチャンネル数が増大している事情があり、ユーザはチャンネル選局や番組選択を行う場合に、格子状に画像を配置した従来のサムネイル画像表示による２次元的な表示によるチャンネル選局や番組選択では、個々の番組を表すサムネイル画像を小さくしないと全部の番組を表示することが難しくなっている。
【０００３】
しかし、個々のサムネイル画像が小さくなるとその画像を認識することが難しくなり、特にタイトルや説明文の文字等は殆ど読めなくなることから、パソコン操作が不慣れな年配者や幼少児が多いテレビを観賞するユーザにとって、選局操作に苦労するという事態が発生する。
こうした事情より、特許文献１の「情報管理装置」には、サムネイル画像を単純に格子状に２次元画像として並べるのではなく、サムネイル画像を重ね合わせて３次元的に表示し、操作ボタンで表示位置を変えることで、大量のサムネイル画像を小さくしないで表示できるようにした装置が提示されている。
【０００４】
【特許文献１】特開２０００−１０５７７２号公報
【発明の開示】
【発明が解決しようとする課題】
【０００５】
しかし、特許文献１の場合、重ね合わせた多数のサムネイル画像群のうち、一番上のサムネイル画像は画像全体が表示されるので明瞭に視認できるが、下の画像は一部しか見えないので殆ど確認不可能であり、操作ボタン等を操作して下の画像を一番上に移動させて一枚一枚確認しなければならないことから、このような装置の構成を番組の選択に用いるには不便である。この装置を番組選択に適用した場合、全部のサムネイル画像を平面上で同時に視認できた従来の２次元的な表示によるサムネイル画像確認の利便性に対して、所望する番組のサムネイル画像を発見して番組を選択して表示させるまでに時間がかかり、どちらかと言うとパソコン操作には不慣れな年配者や幼少児が多い家庭用のテレビ視聴者や、ディスプレイが小さい携帯型受信機のユーザには使い勝手が良くないという問題があった。
【０００６】
そこで、本発明は、テレビ放送を受信する家庭用の受信機、ワンセグ放送を受信する携帯型受信機やモバイル受像機、テレビ放送を録画できるＤＶＤレコーダ、更にはインターネットコンテンツ等における情報の選択に用い、３次元アニメーション技術によるユーザインタフェースを導入することで、使い勝手の良い操作を可能にする番組表示装置を提供することを目的とする。
【課題を解決するための手段】
【０００７】
上記目的を達成するため、本発明の番組表示装置は、収納棚の複数の各ラックに番組カテゴリ名を割り当てて配置すると共に該番組カテゴリに属する各番組に対応するサムネイル画像を前記各ラックの平板状の外側面に貼り付け、表示画面上に３次元的に表示して上下方向へアニメーション移動するラック型番組表示手段を有し、装置本体又はリモートコントロール装置の操作ボタンの操作に応じ、前記ラック型番組表示手段の所望の番組カテゴリが選択されることで当該番組カテゴリのラックが前方に引き出された後回転して外側面が正面を向き、サムネイル画像が左右方向に移動するアニメーションにより表示され、表示された所望のサムネイル画像を選択することで該サムネイル画像に対応する番組が選択されて表示されることを特徴とする。
番組カテゴリが選択され前記アニメーションにより表示されて左右方向に連続移動するサムネイル画像は、正面を向き左右横一列に表示され、カーソルで囲まれた中央のサムネイル画像が拡大表示されることを特徴とする。
番組カテゴリが選択され前記アニメーションにより表示されて左右方向に連続移動するサムネイル画像は、移動する速度に応じてその表示画像が縮小されて表示されることを特徴とする。
また、本発明の番組表示装置は、収納棚の複数の各ラックに番組カテゴリ名を割り当てて配置すると共に該番組カテゴリに属する各番組に対応するサムネイル画像を円形又は多角形の回転筒状のドラム外側面に貼り付け表示画面上に３次元的に表示して上下方向へアニメーション移動するラック型番組表示手段を有し、装置本体又はリモートコントロール装置の操作ボタンの操作に応じ、前記ラック型番組表示手段の所望の番組カテゴリが選択されることで当該番組カテゴリのラックが引き出され当該ドラム面上のサムネイル画像が左右方向に回転するアニメーションにより表示され、表示された所望のサムネイル画像を選択することで対応する番組が選択されて表示されることを特徴とする。
前記ラック型番組表示手段の所望の番組カテゴリが選択されることで当該番組カテゴリのラックがハイライト表示され、前記ラック型番組表示手段のサムネイル画像が、左右横一列に配置されてドラム外側面に貼り付けられることを特徴とする。
番組カテゴリが選択され前記アニメーションにより表示されて左右方向に連続移動するサムネイル画像は、カーソルで囲まれ中央に位置するドラム面上のサムネイル画像が最も手前になり最大表示となるように３次元的に表示されることを特徴とする。
前記アニメーションにより表示され左右方向に移動するサムネイル画像の下段には、選択されたサムネイル画像に対応する番組に関する文字情報が表示されることを特徴とする。
本発明の番組表示装置は、テレビ放送を受信する放送受信部と通信ネットワークを介してコンテンツを取得する通信コンテンツ取得部とを有することを特徴とする。
【発明の効果】
【０００８】
本発明によれば、アナログ方式の固定型テレビ受信機、ワンセグ方式内蔵の携帯電話機やモバイル受信機、１２セグメントを使用するＨＤＴＶ（高精細テレビ）対応、或いは４セグメント使用のデジタルテレビ受信機、ＳＴＢ（セットトップボックス）、ビデオレコーダ、デジタルカメラ等における番組選択、情報検索に用い、各番組やコンテンツに対応するサムネイル画像を３次元アニメーションにより表示することで、格子状に配置した従来の２次元的な画像表示のように小さくして表示する必要が無くなり明瞭に視認できると共に、ＢＭＬブラウザ（ＢＭＬで記述されたコンテンツを再生するソフトウェア）を内蔵することで、画像と同一表示画面上の別領域にデータ放送の表示を行い、ハイパーテキストによりＷｅｂサイトにリンクさせて、タイトルや番組情報を文字表示することもできることから、パソコン操作に不慣れなユーザにも、また表示画面サイズの小さな携帯型受信機のユーザにも選局操作が分かり易く使い勝手が良くなるという効果がある。
また、この３次元アニメーションを用いたサムネイル画像表示による選択操作を、上述のような番組選択以外の情報検索等に応用すれば、Ｅ−コマース（電子商取引）等における各種商品の電子カタログや、インターネットを介して配信する新聞や雑誌等の電子出版物に適用するような場合に、記事のカテゴリや項目等による検索処理等にも好適に、広範囲の業種に応用できるという効果が期待できる。
【発明を実施するための最良の形態】
【０００９】
以下、本発明を実施するための最良の形態について、デジタルテレビ受信機の番組表示装置に適用した場合を例に説明する。
詳細に説明する。
【実施例１】
【００１０】
図１は、本発明の実施例１による番組表示装置のラック型番組表示手段を示す図であり、図２は、図１に示すラック型番組表示手段の実際の表示例を示す図である。
図１において、１はラック型番組表示手段を構成するため積層される各ラックを表す。各ラック１には夫々「映画」、「ドラマ」、「ニュース」、「バラエティー」、「アニメ」、「スポーツ」、…等の番組カテゴリ名が付けられている。図２は、このラック型番組表示手段の実際の表示画面の例である。
図示していないが、各ラック群は、チャンネル（例えば、ＮＨＫ等）毎に色分けされていてＮＨＫなら青色、ＴＢＳは橙色というように色分けにより放送局が識別できるようになっている。色分けやその模様を変更することは、番組カテゴリをサブカテゴリとする親カテゴリという位置づけになり、様々な情報分類への応用が可能になる。
【００１１】
図５は、図１、２に示す番組表示装置の番組選択操作の流れ図である。
図５を参照して、番組表示装置のラック１から所望の番組を選択する操作手順を説明する。なお、図５（ａ）は、ラック型番組表示手段の番組カテゴリ名一覧より所望のラック１に対応付けられた番組カテゴリを選択する手順を示したものであり、図５（ｂ）は、選択されたラック１の番組カテゴリ内よりサムネイル画像を用いて所望の番組を選択する手順を示しており、図５（ｃ）が選択された番組の概要を文字データにより表示したものである。
【００１２】
先ず、テレビ受信機等の選局スタートボタン（図示せず）を押し、色分けされた所望の放送局を選択すると、「映画」〜「スポーツ」等の各番組カテゴリ名が割り当てられて表示された各ラック１が３次元的に積層されて構成され、この番組カテゴリ選択画面がディスプレイ（図示せず）上部の映像表示領域に表示される。
Ｓ１（ステップ１）では、矢印で示すように番組カテゴリ選択のラック１全体が上又は下方向に移動して所望の番組カテゴリを選択することができる。ユーザがリモートコントロール装置（リモコン）の操作ボタン（図示せず）等で所望の、例えば「ニュース」のラック１を選択すると、Ｓ２（ステップ２）で示すように「ニュース」のラック１が前方に引き出されて飛び出し、続いて、Ｓ３（ステップ３）でラック１が左回転し、サムネイル画像が貼り付けられた右側面が正面を向き、Ｓ４（ステップ４）で各番組に対応するサムネイル画像２がフィルム状に左右横一列に並んで表示される。
図６、７は、この様子を示す実際の画面表示例であり、図６は、Ｓ３の状態を示しており、図７は、Ｓ４の状態を示したものである。各番組に対応するサムネイル画像は、図７に示すように、各番組の映像の一部を静止画キャプチャした一枚一枚で構成されている。
【００１３】
Ｓ５（ステップ５）では、リモコンの左右操作ボタン等の操作により、フィルム状に横一列に配置されたサムネイル画像２を左右方向へ移動して所望の番組を選択する。操作ボタンを所定期間押し続けるいわゆる長押し操作により、サムネイル画像はアニメーションにより左右方向にエンドレスに移動するリピート機能を有する。長押しの際のアニメーションによる移動表示は、押している時間に応じて速度が増し、その移動速度に応じて横一列に表示されるサムネイル画像のサイズ（図５（ｂ）のサムネイル画像の幅Ｗ及び高さｈで示す）が小さくなって表示される。
【００１４】
Ｓ６（ステップ６）で、ユーザがリピート時に操作ボタンを離す（押下を解除）ことで速度が減少し、所定時間経過後にサムネイル画像のアニメーション移動表示が停止し、選択されたサムネイル画像２が拡大されてカーソル３によって囲まれ、選択サムネイル画像２ａとして表示される。ユーザは、リモコンの操作ボタンを操作して希望する番組のサムネイル画像２を選択する。このように選択されたサムネイル画像２ａは拡大表示されるのでディスプレイサイズの小さい携帯機器に向いている。
ディスプレイ上には、左右横一列に配置されたサムネイル画像２と共に、図５（ｃ）及び図７に示すようなデータ表示部４が画面下側に設けられる。データ表示部４には、選択されたサムネイル画像２に対応する番組の文字データがデータ放送により受信されてＢＭＬブラウザにより表示される。これにより所望の番組選択が実行される。上記Ｓ１〜Ｓ６で示す動作は、例えば、アドビシステムズ社の「Ｆｌａｓｈ」ムービー等のアニメーションにより作成されることで行われる。
【００１５】
地上波デジタル放送では、１チャンネル６ＭＨｚを１３セグメント（１セグメント＝４２８ＫＨｚ）に分割して伝送し、その中の１セグメント（ワンセグ）が携帯受信機向けに割り当てられ、残りの１２セグメントが固定型のデジタルテレビ受信機用に割り当てられており、このデジタルテレビ受信機について、図３、４を参照して説明する。図３は、デジタルテレビのワンセグ方式の携帯型受信機のブロック図の一例であり、図４は、固定型デジタルテレビ受信機のブロック図の一例である。
図３において、３２はホイップ型等のアンテナであり、３１はフロントエンド（ＦＥ）部であって、ワンセグ用のチューナ部３３と、チューナ部３３で選局受信されたワンセグ放送信号をデジタル復調する復調部３４より構成されている。
トランスポートデコーダ部３５では、復調部３４で再生され圧縮符号化（ワンセグ方式ではＴＲ−Ｂ１４／Ｃプロファイルの放送方式が使用され、Ｈ．２６４／ＡＶＣ高圧縮符号化方式による映像コーデックが使用される）されたトランスポートストリーム（ＴＳ）データを、パケット種別毎に分離する。
【００１６】
そのパケット種別が放送映像信号、放送音声信号ならば、ＭＰＥＧデコーダ部３６のビデオ出力部３７、音声出力部３８へそれぞれ処理を受け渡し、文字情報等の一定周期で繰り返し送出されるデータカルーセル（Ｃａｒｏｕｓｅｌ：回転木馬）やイベント（放送番組）メッセージならば、ＢＭＬブラウザ部３９へ受け渡し、放送網の構成情報を表すＰＳＩ（Ｐｒｏｇｒａｍ  Ｓｐｅｃｉｆｉｃ  Ｉｎｆｏｒｍａｔｉｏｎ）や、番組タイトル、放送時間、チャンネル等の番組情報（ＥＰＧ：電子番組ガイド）の詳細を示すＳＩ（Ｓｅｒｖｉｃｅ  Ｉｎｆｏｒｍａｔｉｏｎ）信号ならば、ＰＳＩ／ＳＩ解析部４０へ処理を受け渡す。なお、ＢＭＬとはマルチメディア表現用のＸＭＬ応用言語で、ＢＭＬブラウザはＢＭＬで記述されたコンテンツを閲覧するためのアプリケーションソフトである。
【００１７】
ＭＰＥＧデコーダ部３６は、入力されたビデオ及びオーディオ信号のパケットを閲覧可能な状態に処理して出力する。ＢＭＬブラウザ部３９は入力するデータカルーセルやイベントメッセージのパケットを閲覧可能に処理して出力表示する。また、ＰＳＩ／ＳＩ解析部４０は、トランスポートデコード部３５で分離されたＰＳＩ／ＳＩ情報を解析してＴＳ（トランスポートストリーム）に関する情報をＲＡＭ４７に格納する。この場合のＴＳ情報とは、ネットワークＩＤ、ネットワーク名、ＴＳのＩＤ、ＴＳ名、視聴中のサービスＩＤ、サービス名、受信中の周波数等である。
【００１８】
フラッシュメモリ等を使用したＲＯＭ４６にはユーザがテレビ放送を受信している位置で受信可能な放送局名（チャンネル名）のリストがＴＳ情報と共に格納されている。４９は、これらにより構成される携帯電話機等の携帯型受信機を示しており、５０が映像表示領域、５１が文字情報、ＢＭＬデータやインターネットの通信コンテンツ等の表示領域であり、５２が操作ボタンであって、ＴＶ視聴の起動、終了、上下操作ボタン、左右操作ボタン、番組選択操作ボタン、ＥＰＧ操作ボタン、音量操作ボタン、ブックマーク操作ボタン等が設定されている。操作ボタンの操作は入力操作部４４により認識されて諸々の入力処理を行う。通信インターフェース４８はインターネット、携帯電話通信網等への接続インターフェースである。
【００１９】
次に、図１、２、及び図５〜７に示す番組表示装置の番組選択動作について具体的に説明する。
地上波デジタルテレビ放送では、固定型受信機も携帯型受信機も基本的には同じであるが、番組情報として受信周波数、ＰＳＩ、ＳＩ、ＮＩＴ（Ｎｅｔｗｏｒｋ  Ｉｎｆｏｒｍａｔｉｏｎ  Ｔａｂｌｅ：チャンネル構成情報やそれに対応する周波数情報等）、ＰＭＴ（Ｐｒｏｇｒａｍ  Ｍａｐ  Ｔａｂｌｅ：番組を構成する各符号化信号や有料放送の共有情報を伝送するＴＳパケットのＰＩＤ）、ＰＡＴ（Ｐｒｏｇｒａｍ  Ａｓｓｏｃｉａｔｉｏｎ  Ｔａｂｌｅ：ＰＭＴを伝送するＴＳパケットのＰＩＤが記述される）、ネットワークＩＤ、ネットワーク名、サービスＩＤ、サービス名、操作ボタン（リモートコントロール装置等の操作ボタン）ＩＤ、ＴＳのＩＤ、ＴＳ名（個々については後述する）等が受信され処理される。
【００２０】
ワンセグ放送では、映像符号化方式として固定受信機用のＭＰＥＧ２を更に高圧縮化するＨ．２６４／ＡＶＣ方式が用いられるが、多重化方式には固定受信機もワンセグにもＭＰＥＧ２システムがその基になっている。このＭＰＥＧ２システムでは、一般に、ニュースやドラマ等の番組の開始時刻、終了時刻が決められた各放送番組を「イベント」と呼び、複数のイベントが連続して編成されたプログラムを「サービス」と呼んでいる。そして複数のサービスがＴＳ（トランスポートストリーム）となり、これらＴＳが変調されて放送波として送信される。ＴＳはＰＥＳ（Ｐａｃｋｅｔｉｚｅｄ  Ｅｌｅｍｅｎｔａｒｙ  Ｓｔｒｅａｍ）を分割し、３２ビットのヘッダを含む１８８バイト単位の大きさにした信号である。またＰＥＳとは符号化された映像、音声のＥＳ（Ｅｌｅｍｅｎｔａｒｙ  Ｓｔｒｅａｍ）を、画像ならフレーム単位、音声ならブロック単位等の意味のある単位毎にパケット化したものであり、ＰＥＳには時刻情報が含まれているので、映像と音声の同期をとることが可能である。
このＴＳの各パケットにはＰＩＤ（Ｐａｃｋｅｔ  ＩＤｅｎｔｉｆｉｃａｔｉｏｎ：パケット識別子）と呼ばれる１３ビットの情報が含まれ、このＰＩＤは各パケットが何を伝送しているかを示すもので、同一の画像、同一の音声は夫々同じＰＩＤを持つために、ＴＳを受信した側は、これによって元のＰＥＳに復元できることになる。
【００２１】
地上デジタル放送における選局処理については、ＭＰＥＧ２システムに規定されているＰＳＩ（番組特定情報）、ＳＩ（チャンネル名や番組情報の表示のための編成チャンネル名や番組名、放送日時、番組内容等の各種情報）と呼ばれる番組関連情報に関するテーブルが利用される。このＳＩはＰＳＩ情報を拡張して番組情報を含めたものである。このＳＩによって番組名や、番組表（ＥＰＧ）等が送信される。
このＰＳＩにはＰＭＴ、ＰＡＴ、ＣＡＴ（Ｃｏｎｄｉｔｉｏｎａｌ  Ａｃｃｅｓｓ  Ｔａｂｌｅ：ＥＭＭ（加入者毎の個別情報）を伝送するＴＳパケットのＰＩＤが記述される）等が含まれる。また、ＳＩにはＮＩＴ、ＳＤＴ（Ｓｅｒｖｉｃｅ  Ｄｅｓｃｒｉｐｔｉｏｎ  Ｔａｂｌｅ：編成チャンネル名、放送事業者名等の編成チャンネルの情報）、ＥＩＴ（Ｅｖｅｎｔ  Ｉｎｆｏｒｍａｔｉｏｎ  Ｔａｂｌｅ：番組名、放送日時、番組内容等）、ＴＯＴ（Ｔｉｍｅ  Ｏｆｆｓｅｔ  Ｔａｂｌｅ：特定地域の時間のずれに関する情報）等が含まれる。
【００２２】
ＰＡＴは、あるＴＳ内で行われているサービスの一覧として、各サービスを示すＰＭＴのＰＩＤ一覧を格納した情報である。このＰＭＴから画像や音声のＰＩＤを得られれば、そのＰＩＤの付いたパケットを集めて元の動画を再生できる。ＣＡＴは、個別情報を記したパケットのＰＩＤ一覧を格納したものである。ここで個別情報とは、有料情報、コピー禁止（ＭＰＥＢ２１：コンテンツの流通関連）等の個別情報である。ＮＩＴは、チャンネル番号や変調方式、ガードインターバル等、送信するネットワークに関する情報である。ＳＤＴは、チャンネルの名称を含んだ情報のことである。ＥＩＴは、番組の名称や放送日時、放送内容等、番組に関連する情報であり、ＥＰＧは主にこの情報を元に作成される。ＴＯＴは、現在の日付、時刻、及びサマータイム等の情報のことを言う。
【００２３】
このように、ＰＳＩにはＮＩＴ、ＰＡＴ、ＰＭＴが含まれていて、ＮＩＴ、ＰＭＴ、ＰＡＴには選局情報が記述されており、この選局情報は階層構造を有している。ＮＩＴには放送全体の選局情報として物理チャンネルであるトランスポンダの周波数と、各トランスポンダに属するプログラム即ちサービスＩＤ等が記述されている。
ＰＡＴは、トランスポンダ毎に定義され、そのトランスボンダの選局情報としてトランスポンダで現在放送されているサービスＩＤと、サービスＩＤに含まれているＥＳ（Ｅｌｅｍｅｎｔａｒｙ  Ｓｔｒｅａｍ）、ＰＳ（Ｐｒｏｇｒａｍ  Ｓｔｒｅａｍ）を分離して処理装置へ割り当てることによって選局が行われる。また、選局にはネットワークＩＤを利用することもできる。ネットワークＩＤとはネットワーク毎にユニークに割り当てられている識別子のことであり、例えば、ＣＳデジタル放送では、スカイサービス、パーフェクトテレビサービス、ＤｉｒｅｃｔＴＶサービス、等の放送事業者にネットワークＩＤが１つずつ付与されている。なお、図３に示す携帯型受信機でも、ＣＳ及びＢＳ放送については図示していないが、対応するチューナを用意しモバイル放送株式会社と契約すれば、２．６ＧＨｚのＣＳ及びＢＳ放送がワンセグ受信機でも受信可能になる。
【００２４】
具体的な選局処理は、上述のように、番組情報をＰＳＩ／ＳＩ解析部４０でＮＩＴ、ＰＭＴ、ＰＡＴ、ＥＳ、ＰＳを解析分離してＲＡＭ４７に格納し、ＲＯＭ（フラッシュ）４６に格納されるプログラムに従いＣＰＵ４５の処理により、番組表作成部４１において、図１、２、及び図５〜７に示すようなラック型番組表示手段の機能を実現し、例えば、「ＦＬａｓｈ」ムービー等のアニメーション処理（他方式のアニメーション処理でもよい）により作成する。更に、図５（ｂ）、図５（ｃ）、及び図７に示すように番組毎の多数のサムネイル画像２を、左右横一列に表示される各フレームに所定時間間隔で割り付けて番組対応の「Ｆｌａｓｈ」ムービーを作成する。これらを装置本体、或いはリモートコントロール装置の操作ボタンの各操作に対応付けて次のような選局操作が実施される。
【００２５】
先ず、カテゴリを選択し（Ｓ１）、選択カテゴリ「ニュース」を引き出した後（Ｓ２）、「ニュース」のラック１の左回転により正面に向け（Ｓ３）、操作ボタンの操作により、左右横一列のサムネイル画像群を所定の設定速度（例えば、５枚／秒等の速度を設定）で左又は右方向へアニメーション移動させる（Ｓ４）。この速度は自由に調整可能とする（Ｓ５）。操作ボタンの操作により所望の番組に対応するサムネイル画像２を停止させ、選択決定用のカーソル３により囲まれ拡大された選択サムルイル画像２ａを決定操作ボタン（図示せず）により決定する（Ｓ６）。この操作ボタン５２の操作を操作入力部４３が識別し、選局部４２へ周波数その他の上述のような選局情報をフロントエンド（ＦＥ）部３１に指令することでチューナ部３３による選局が行われ、ユーザは、例えば、ＮＨＫの「ニュース」番組を視聴することができる。
【００２６】
この場合の、装置本体或いはリモートコントロール装置の操作ボタンに対応するＳ１〜Ｓ６のイベント処理については、例えば、「Ｆｌａｓｈ」の「Ａｃｔｉｏｎ  Ｓｃｒｉｐｔ（ＡＳファイル）」を用い、スクリプト（プログラム記述）言語記述によるボタン制御を行ってアニメーション動作の制御を行う。番組選択動作の際は、携帯型受信機の映像表示部５０に表示されるサムネイル画像２の表示に加え、映像表示部５０又はデータ放送表示部５１に、ツールバーとして、ファイル、表示、制御、ヘルプ等のボタン（図示せず）を設定して配置し、制御ボタンとして、１再生、２戻る、３前に進む、４ループ再生等を設ける（共に図示せず）。また、図５（ｃ）には、選択サムネイル画像２ａに対応する番組とデータ表示部４に表示されるその文字情報が、ＢＭＬブラウザ３９によりリンクするデータ画面としてデータ放送表示部５１に表示される。
【００２７】
図４は、家庭用途向けの固定型デジタルテレビ受信機のブロック図の一例である。
図４に示す固定型デジタルテレビ受信機５３の構成は、図３に示す携帯型受信機４９のブロック図と基本的に同じであるが、フロンドエンド部３１にＢＳ／ＣＳ衛星デジタルテレビ放送の衛星アンテナ３２ａ、チューナ部３３ａ、及び復調部３４ａが加わり、携帯型受信機の操作ボタン５２がリモートコントロール装置の操作ボタン５２に変わる点が異なる。
【００２８】
付加されるＢＳ／ＣＳ衛星デジタルテレビ放送の処理は、ＢＳ／ＣＳ衛星アンテナ３２ａにより受信されたＢＳ／ＣＳ衛星デジタルテレビ放送信号がＢＳ／ＣＳ系チューナ部３３ａに入力され、ユーザの選局指示に従い選局受信されて、ＢＳ／ＣＳ復調部３４ａに供給されデジタル復調される。図３の携帯型受信機と図４の固定型デジタルテレビ受信機では、ＴＳが携帯型受信機では１セグメント帯域なのに対して、固定型受信機のＨＤＴＶ（高精細テレビ）の場合は１チャンネル６ＭＨｚの内１２セグメントＦｕｌｌ帯域処理となり、映像圧縮符号化はＭＰＥＧ２によるが、多重化方式は同じくＭＰＥＧ２システムのＡプロファイル方式がベースとなる。その他の図１、２、及び図５〜７に示す番組選択の処理や、リモートコントロール装置の操作ボタン５４によるボタン操作処理等は、図３の場合と同様である。
【実施例２】
【００２９】
次に、本発明の実施例２について図８〜図１２を参照して説明する。
図８は、本発明の実施例２による番組表示装置のラック型番組表示手段を示す図であり、図９は、図８に示すラック型番組表示手段の実際の画面表示例であり、図１０は、図８、９に示す番組表示装置の番組選択操作の流れ図である。なお、図１０（ａ）は、ラック型番組表示手段の番組カテゴリ名一覧より所望のラック１１に対応付けられた番組カテゴリを選択する手順を示したものであり、図１０（ｂ）は、選択されたラック１１の番組カテゴリ内よりサムネイル画像を用いて所望の番組を選択する手順を示しており、図１０（ｃ）が選択された番組の概要を文字データにより表示したものである。
【００３０】
図８において、１１は各番組カテゴリを構成する個々のラックであり、各ラックには夫々「ドラマ」、「ニュース」、「バラエティー」、「アニメ」、…等の番組カテゴリ名が付けられている。１２は個々の番組に対応するサムネイル画像であり、１５は多角形の筒状の回転ドラムである。実施例１がサムネイル画像２をフィルム状に平坦に貼り付けて移動させたのに対し、実施例２はサムネイル画像１２を回転筒状のドラム外側の表面に貼付け、このドラム１５をコマ状に回転させてアニメーションにより３次元的に表示する方式である。図９は、このドラム式のサムネイル画像１２を実際の画面表示例として示したものである。各ドラム１１には、ポジ（陽画）フィルムの様にサムネイル画像１２が左右横一列に貼付けられており、各ドラム１１の内部に照明を配しサムネイル画像１２がバック照明されているように表示される。
【００３１】
なお、図８、１０では、ドラム１５の形状を円形として描いているが、図１１、１２に示す実際の画面表示例ではサムネイル画像１２が平坦になるように多角形状としている。図１０（ｂ）で示すドラム１５の正面中央の番組選択のためのサムネイル画面１２ａが平坦な面で表示されれば、ドラム１５は円形でも勿論構わない。また、実施例２の場合も各番組カテゴリのラック群は、その背景色或いはドラム内のバックライトの色を変えることで放送局別等の表示識別が可能であり、放送媒体やメディアの種類等の親カテゴリの識別に用いることができる。
【００３２】
図１０に示すように、装置本体或いはリモートコントロール装置の操作ボタンの操作に応じて、受信機のディスプレイ（図示せず）上に、図１０（ａ）に示すような各ラック１１が積層されて構成された番組カテゴリ選択画面が３次元的に表示され、Ｓ１１（ステップ１１）の操作で、ラック１１全体が矢印で示すように上下方向に移動する。ユーザが操作ボタンの操作で所望の番組カテゴリ（例えば「スポーツ」）を選択すると、Ｓ１２（ステップ１２）で示すように「スポーツ」のラック１１が前方に引き出されて飛び出す。その際、図１１に示すように、選択されたラック１１以外のドラム１５内部の照明が消灯され、選択された番組カテゴリのラック１１のみが、そのドラム１５内部の照明が点灯されているようにハイライト表示される。
【００３３】
Ｓ１３（ステップ１３）でサムネイル画像１２が貼付けられたドラム１５が正面を向き、Ｓ１４（ステップ１４）ではドラム１５を左右任意の方向に回転させることができる。Ｓ１５（ステップ１５）で、カーソル１３で囲まれ選択されたサムネイル画像１２ａに対応する番組が選択される。実施例１と同様に、操作ボタンの長押し操作によりサムネイル画像１２が貼り付けられたドラム１５がアニメーションにより左右方向にエンドレスに回転するリピート機能を有しており、操作ボタンの押下を解除することでサムネイル画像１２が貼り付けられたドラム１５が回転するアニメーション表示が停止する。
この時、データ表示領域とする表示画面下側のデータ表示部１４には、図１０（ｃ）及び図１２に示すようなＢＭＬデータによる番組情報が表示される。この選択決定が操作入力部４３で認識され番組選択操作が行われる。
なお、図３、図４のブロック図については実施例１、２とも共通であり、動作の基本は同じなので詳細な説明は省略する。
【実施例３】
【００３４】
次に、本発明の実施例３について図１３〜図１７を参照して説明する。
図１５は、本発明の実施例３による番組表示装置の番組選択操作の流れ図であり、図１３、１４は本発明の実施例３による番組表示装置のシート型番組表示手段の実際の画面表示例である。なお、図１５（ａ）は、シート型番組表示手段の番組カテゴリ名一覧より所望のシート２１に対応付けられた番組カテゴリを選択する手順を示したものであり、図１０（ｂ）は、選択されたシート２１の番組カテゴリ内よりサムネイル画像を用いて所望の番組を選択する途中を示しており、図１０（ｃ）が選択された番組カテゴリ内よりサムネイル画像を用いて所望の番組を選択する状態を示したものである。
【００３５】
図１５に示すように、実施例３のシート型番組表示手段は、実施例１、２のラック型番組表示手段とは異なり、「ドラマ」、「アニメ」、「音楽」、「ドキュメンタリー」、「ワイドショー」、「福祉」、…等の各シートに番組カテゴリ名が対応付けられ、絨毯状の各シート２１が積層されて構成されている。番組カテゴリに対応付けられた各シート２１には、各番組に対応するサムネイル画像２２が全面に縦横の格子状に貼付けられている。実施例３の場合も各番組カテゴリのシート群は、その背景色或いはシート自身の色や図柄を変えることで放送局別等の表示識別が可能であり、放送媒体やメディアの種類等の親カテゴリの識別に用いることができる。その際、シート２１の引き出し方向に対応して、番組を受信又は取得するメディアを割付けるようにしても良い。例えばＣＳによる衛星放送受信の場合のシート２１の引き出し方向に対して９０度回転させるとＢＳによる衛星放送受信の番組内容になる、といった具合である。
【００３６】
操作ボタンの操作に応じて、ディスプレイ（図示せず）上に、図１５（ａ）に示すよう各シート２１が重ねられて構成された番組カテゴリ選択画面が３次元的に表示され、Ｓ２１（ステップ２１）の操作で、シート２１全体が上下に移動する。ユーザが操作ボタンの操作で希望する番組カテゴリ（例えば「音楽」）に対応するシート２１を選択すると、Ｓ２２（ステップ２２）で、図１５（ｂ）及び図１６の実際の画面表示例に示すように選択された「音楽」に対応するシート２１が前方へ引き出されて飛び出し、Ｓ２３（ステップ２３）で、図１５（ｃ）に示すようにシート全面にサムネイル画像２２が縦横の格子状に貼られたシート２１が立てられ正面向きに表示される。Ｓ２４（ステップ２４）では、実施例１、２でサムネイル画像２、１２をアニメーション動画として移動させた代わりに、ここでは各サムネイル画像２２上でカーソル２３を上下左右に移動させ、ユーザが操作ボタンの操作で希望するサムネイル画像を選択する。図１７の実際の画面表示例に示すように、選択されたサムネイル画像２２は、周りのサムネイル画像に比較してコントラストが強調されて表示される。
【実施例４】
【００３７】
次に、実施例４について図１８〜図２０を参照して説明する。
図１８は、実施例４による番組表示装置の番組表表示手段を示す図である。
図１８に示すように、ＴＶの番組表２６は、上段に地上波の各テレビ局名を、左側に放送時間帯をマトリクス上に配置して、各放送局の番組名を表示している、形式は通常の番組表を踏襲し、これを多角形の回転筒状のドラムの内側の面に貼り付けて配置し、３次元的に表示したものである。つまり、手前を大きくし遠くなるに従い小さくなるようにレンダリングにより描画した３次元表示である。番組表（ＥＰＧ）はデジタルテレビ放送の場合データ放送により取得され、アナログテレビの場合は特定の放送チャンネル或いはインターネット経由で取得される。
【００３８】
操作ボタンの操作に応じ、表示画面上に、図１８に示すような番組表２６が表示される。番組表２６は、図１９、２０の実際の画面表示例に示すように、奥行き方向（平面状に展開した場合の左右方向に相当）の移動によるアニメーション表示によりＮＨＫ総合〜ＢＳ（図示せず）までが、順に手前又は向こう側へ移動させることで拡大又は縮小表示される。
ユーザは、所望のチャンネルの放送局を選択し、そのチャンネルの表示をドラムの左右の回転方向（平面状に展開した場合の上下方向に相当）へアニメーション移動させる。このようにして放送局の１日の番組が時間割り表示に沿って全てエンドレスに表示される。選局される番組の表示枠の色が変わるので、ユーザは所望の時間帯の番組を選択し選局することができる。
【００３９】
上述した本発明による番組表示装置は、ワンセグ方式の携帯電話機内蔵テレビ受信機や固定型デジタルテレビ受信機に適用した例に限らず、各種の映像、音楽、情報の選択操作に適用できるものであり、アナログ方式の地上波テレビ受信機、ＢＳ、ＣＳ等の衛星テレビ放送受信機、カーナビゲーション等に組み込まれたモバイルテレビ、ケーブルテレビ等のＳＴＢ（セットトップボックス）、テレビ放送の録画が可能なビデオレコーダ、デジタルカメラ等の各種機器におけるビデオ、写真等の動画像、静止画像のみならず、インターネットを介してコンテンツを取得する各種コンピュータや情報端末、コンピュータが内蔵された各種電子機器における各種コンテンツをカテゴリ分けして所望のコンテンツを選択操作する場合に適用できるものであり、アナログテレビでも垂直期間を利用して送信される文字放送やインターネットを介して対応する放送番組のデータベースから情報を引き出すことによって映像と共に文字データを表示することができる。
【図面の簡単な説明】
【００４０】
【図１】本発明の実施例１による番組表示装置のラック型番組表示手段を示す図である。
【図２】図１に示すラック型番組表示手段の実際の画面表示例を示す図である。
【図３】ワンセグ方式の携帯型受信機のブロック図の一例である。
【図４】固定型デジタルテレビ受信機のブロック図の一例である。
【図５】図１、２に示す番組表示装置の番組選択操作の流れ図である。
【図６】図５に示す番組表示装置の実際の画面表示例１を示す図である。
【図７】図５に示す番組表示装置の実際の画面表示例２を示す図である。
【図８】本発明の実施例２による番組表示装置のラック型番組表示手段を示す図である。
【図９】図８に示すラック型番組表示手段の実際の画面表示例を示す図である。
【図１０】図８、９に示す番組表示装置の番組選択操作の流れ図である。
【図１１】図１０に示す番組表示装置の実際の画面表示例１を示す図である。
【図１２】図１０に示す番組表示装置の実際の画面表示例２を示す図である。
【図１３】本発明の実施例３による番組表示装置のシート型番組表示手段の実際の画面表示例１を示す図である。
【図１４】図１３に示すシート型番組表示手段の実際の画面表示例２を示す図である。
【図１５】図１３、１４に示す番組表示装置の番組選択操作の流れ図である。
【図１６】図１５に示すシート型番組表示手段の実際の画面表示例３を示す図である
【図１７】図１５に示すシート型番組表示手段の実際の画面表示例４を示す図である
【図１８】本発明の実施例４による番組表示装置の番組表表示手段を示す図である。
【図１９】図１８に示す番組表示装置の実際の画面表示例１を示す図である。
【図２０】図１８に示す番組表示装置の実際の画面表示例２を示す図である。
【符号の説明】
【００４１】
１、１１    ラック
２、１２、２２    サムネイル画像
３、１３、２３    カーソル
４、１４    データ表示部
１５    ドラム
２１    シート
２６    番組表
３１    フロントエンド部
３２    アンテナ
３３    チューナ部
３４    復調部
３５    トランスポートデコーダ部
３６    ＭＰＥＧデコーダ部
３７    ビデオ出力部
３８    音声出力部
３９    ＢＭＬブラウザ部
４０    ＰＳＩ／ＳＩ解析部
４１    番組表作成部
４３    操作入力部
４４    制御部
４５    ＣＰＵ
４６    ＲＯＭ、フラッシュメモリ
４７    ＲＡＭ
４８    通信インターフェース
４９    携帯型受信機
５０    映像表示部
５１    データ放送表示部
５２    操作ボタン
５３    固定型デジタルテレビ受信機
５４    リモートコントロール装置（リモコン）
【図１】
0004501033.tif 000002
【図２】
0004501033.tif 000003
【図３】
0004501033.tif 000004
【図４】
0004501033.tif 000005
【図５】
0004501033.tif 000006
【図６】
0004501033.tif 000007
【図７】
0004501033.tif 000008
【図８】
0004501033.tif 000009
【図９】
0004501033.tif 000010
【図１０】
0004501033.tif 000011
【図１１】
0004501033.tif 000012
【図１２】
0004501033.tif 000013
【図１３】
0004501033.tif 000014
【図１４】
0004501033.tif 000015
【図１５】
0004501033.tif 000016
【図１６】
0004501033.tif 000017
【図１７】
0004501033.tif 000018
【図１８】
0004501033.tif 000019
【図１９】
0004501033.tif 000020
【図２０】
0004501033.tif 000021